(57)【要約】【課題】消費電力を抑制できる照明システムを提供する。【解決手段】照明システム１は、照明器具２０ａ〜２０ｐと、コントローラ１０と、照明器具２０ａ〜２０ｐへの電力供給のオン及びオフを切り替えるスイッチ３０と、を備え、コントローラ１０は、照明器具２０ａ〜２０ｐの明るさを制御する調光制御を行う調光制御部１２と、０以上所定値以下の調光率での調光制御が行われる照明器具への電力供給をオフするように、スイッチ３０に指示する電力供給制御部１３と、を備える。【選択図】図１
2019046640.tif 000002
【特許請求の範囲】
【請求項１】
照明器具と、
コントローラと、
前記照明器具への電力供給のオン及びオフを切り替えるスイッチと、を備え、
前記コントローラは、
前記照明器具の明るさを制御する調光制御を行う調光制御部と、
０以上所定値以下の調光率での調光制御が行われる照明器具への電力供給をオフするように、前記スイッチに指示する電力供給制御部と、を備える、
照明システム。
【請求項２】
前記電力供給制御部は、電力供給がオフされている照明器具に、前記所定値を超える調光率での調光制御が行われる場合、当該照明器具への電力供給をオンするように前記スイッチに指示する、
請求項１に記載の照明システム。
【請求項３】
前記調光制御部は、前記照明器具に無線で調光制御の指示を行う、
請求項１又は２に記載の照明システム。
【請求項４】
前記コントローラと前記スイッチとは、一体化されている、
請求項１〜３のいずれか１項に記載の照明システム。
【請求項５】
照明器具と、コントローラと、前記照明器具への電力供給のオン及びオフを切り替えるスイッチとを備える照明システムにおけるコントローラであって、
前記照明器具の明るさを制御する調光制御を行う調光制御部と、
０以上所定値以下の調光率での調光制御が行われる照明器具への電力供給をオフするように、前記スイッチに指示する電力供給制御部と、を備える、
コントローラ。
【請求項６】
照明器具と、
コントローラと、
前記照明器具への電力供給のオン及びオフを切り替えるスイッチと、を備え、
前記コントローラは、
前記照明器具の明るさを制御する調光制御を行う調光制御部と、
消灯となる調光率での調光制御が行われる照明器具への電力供給をオフするように、前記スイッチに指示する電力供給制御部と、を備える、
照明システム。
【発明の詳細な説明】
【技術分野】
【０００１】
本発明は、照明器具を制御するための照明システム及びコントローラに関する。
【背景技術】
【０００２】
従来、照明器具と、照明器具の明るさを制御する調光制御を行うコントローラと、照明器具への電力供給のオン及びオフを切り替えるスイッチ（例えばリレー等）と、を備える照明システムが開示されている（例えば、特許文献１）。このような照明システムは、大規模な建物等に適用することができ、多くの照明器具の調光制御が可能となる。
【先行技術文献】
【特許文献】
【０００３】
【特許文献１】特開平０７−１３０４７４号公報
【発明の概要】
【発明が解決しようとする課題】
【０００４】
しかしながら、上記従来の照明システムでは、照明器具の調光率が０％になるように調光制御が行われた場合、照明器具は消灯しているがリレーを介して電力は供給されたままとなり、照明器具の待機電力が発生してしまう。
【０００５】
そこで、本発明は、消費電力を抑制できる照明システム及びコントローラを提供することを目的とする。
【課題を解決するための手段】
【０００６】
本発明の一態様に係る照明システムは、照明器具と、コントローラと、前記照明器具への電力供給のオン及びオフを切り替えるスイッチと、を備え、前記コントローラは、前記照明器具の明るさを制御する調光制御を行う調光制御部と、０以上所定値以下の調光率での調光制御が行われる照明器具への電力供給をオフするように、前記スイッチに指示する電力供給制御部と、を備える。
【０００７】
本発明の一態様に係るコントローラは、照明器具と、コントローラと、前記照明器具への電力供給のオン及びオフを切り替えるスイッチとを備える照明システムにおけるコントローラであって、前記照明器具の明るさを制御する調光制御を行う調光制御部と、０以上所定値以下の調光率での調光制御が行われる照明器具への電力供給をオフするように、前記スイッチに指示する電力供給制御部と、を備える。
【０００８】
本発明の一態様に係るコントローラは、照明器具と、コントローラと、前記照明器具への電力供給のオン及びオフを切り替えるスイッチと、を備え、前記コントローラは、前記照明器具の明るさを制御する調光制御を行う調光制御部と、消灯となる調光率での調光制御が行われる照明器具への電力供給をオフするように、前記スイッチに指示する電力供給制御部と、を備える。
【発明の効果】
【０００９】
本発明の一態様に係る照明システム及びコントローラによれば、消費電力を抑制できる。
【図面の簡単な説明】
【００１０】
【図１】図１は、実施の形態１に係る照明システムの一例を示す構成図である。
【図２】図２は、実施の形態１に係るコントローラの一例を示す構成図である。
【図３】図３は、スイッチの電源供給端子とスイッチアドレスとの対応関係の一例を示す図である。
【図４】図４は、照明器具と調光用アドレスとの対応関係及び調光用アドレスとスイッチアドレスとの対応関係の一例を示す図である。
【図５】図５は、調光スイッチのボタンと調光率と調光用アドレスとの対応関係の一例を示す図である。
【図６】図６は、実施の形態１に係る照明システムの他の一例を示す構成図である。
【図７】図７は、実施の形態１に係る照明システムの他の一例を示す構成図である。
【図８】図８は、実施の形態２に係る照明システムの一例を示す構成図である。
【発明を実施するための形態】
【００１１】
以下では、本発明の実施の形態について、図面を用いて詳細に説明する。なお、以下に説明する実施の形態は、いずれも本発明の好ましい一具体例を示すものである。したがって、以下の実施の形態で示される数値、構成要素、構成要素の配置および接続形態等は、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成要素については同じ符号を付している。
【００１３】
（実施の形態１）
以下、実施の形態１について、図１から図７を用いて説明する。
【００１４】
［照明システムの構成］
図１は、実施の形態１に係る照明システム１の一例を示す構成図である。
【００１５】
照明システム１は、照明器具の明るさを制御する調光制御などをするためのシステムであり、照明器具２０ａ〜２０ｐと、コントローラ１０と、照明器具２０ａ〜２０ｐへの電力供給のオン及びオフを切り替えるスイッチ３０と、を備える。コントローラ１０は、例えば照明器具２０ａ〜２０ｐと有線で接続されている。具体的には、コントローラ１０は、コントローラ端子１０ａ〜１０ｄを有し、コントローラ端子１０ａには照明器具２０ａ〜２０ｄが接続され、コントローラ端子１０ｂには照明器具２０ｅ〜２０ｈが接続され、コントローラ端子１０ｃには照明器具２０ｉ〜２０ｌが接続され、コントローラ端子１０ｄには照明器具２０ｍ〜２０ｐが接続されている。また、照明システム１は、さらに、照明器具２０ａ〜２０ｐの調光率を制御する調光スイッチ４０ａ、照明器具２０ａ〜２０ｐの制御に関する設定を行う設定器５０、及び、照明器具２０ａ〜２０ｐの制御を行う親機６０を備える。
【００１６】
まず、コントローラ１０について、図２を用いて説明する。図２は、実施の形態１に係るコントローラ１０の一例を示す構成図である。
【００１７】
コントローラ１０は、プロセッサ（マイクロプロセッサ）、通信回路、電源回路等を含むコンピュータであり、通信部１１、調光制御部１２、電力供給制御部１３及び記憶部１４を備える。記憶部１４は、ＲＯＭ、ＲＡＭ等であり、例えば不揮発性メモリを含んでいてもよい。通信部１１は、通信回路により実現され、通信回路は、例えば、親機６０との間で制御信号を送受信する送受信回路、照明器具２０ａ〜２０ｐとの間で調光信号を送受信する送受信回路、設定器５０との間で無線信号を送受信する無線回路等を含んでいる。プロセッサは、記憶部１４に格納されたプログラムを実行することにより、通信部１１、調光制御部１２、電力供給制御部１３等を制御する処理を行う。
【００１８】
通信部１１は、親機６０からの指示（制御信号）を受信し、当該指示に応じて照明器具２０ａ〜２０ｐに対して照明器具２０ａ〜２０ｐを制御するための信号を送信する。また、通信部１１は、設定器５０から信号（設定信号）を受信し、設定信号に含まれる情報は記憶部１４に記憶される。
【００１９】
調光制御部１２は、照明器具２０ａ〜２０ｐの調光制御を行う。例えば、通信部１１は、親機６０から、所望の照明器具の調光率を変化させることを示す制御信号を受信した場合、調光制御部１２は、通信部１１に調光率を変化させる調光信号を当該所望の照明器具へ送信させることで、当該所望の照明器具の調光制御を行う。
【００２０】
電力供給制御部１３は、０以上所定値以下の調光率での調光制御が行われる照明器具への電力供給をオフするように、スイッチ３０に指示する。当該指示は、例えば、親機６０を介して行われる。例えば、当該指示は、コントローラ１０から親機６０にいったん送信され、親機６０は当該指示をスイッチ３０に送信する。これにより、０以上所定値以下の調光率での調光制御が行われた照明器具への電力供給がオフされて、当該照明器具の待機電力の発生を抑制できる。なお、０以上所定値以下の調光率とは、消灯となる調光率であり、所定値は、特に限定されないが、例えば５％以下の値等である。
【００２１】
また、電力供給制御部１３は、電力供給がオフされている照明器具に、所定値を超える調光率での調光制御が行われる場合、当該照明器具への電力供給をオンするようにスイッチ３０に指示する。当該指示も例えば、親機６０を介して行われる。これにより、電力供給がオフされていた照明器具を、所定値を超える調光率で点灯させる場合に、当該照明器具への電力供給を復帰させることができる。
【００２２】
照明器具２０ａ〜２０ｐは、光源を含み、点灯及び消灯の切り替え、並びに、調光率（明るさ）の変更が可能な装置である。照明器具２０ａ〜２０ｐは、スイッチ３０を介して電力が供給されている。照明システム１は、大規模な建物へ適用され得るため、当該建物には照明器具が複数設置され、本実施の形態では、一例として、照明器具２０ａ〜２０ｐを示している。
【００２３】
スイッチ３０は、照明器具２０ａ〜２０ｐへの電力供給のオン及びオフを切り替える、例えばリレーである。スイッチ３０は、電源供給端子３０ａ〜３０ｄを有し、電源供給端子３０ａには照明器具２０ａ〜２０ｄが接続され、電源供給端子３０ｂには照明器具２０ｅ〜２０ｈが接続され、電源供給端子３０ｃには照明器具２０ｉ〜２０ｌが接続され、電源供給端子３０ｄには照明器具２０ｍ〜２０ｐが接続されている。例えば、スイッチ３０は、親機６０から照明器具２０ａ〜２０ｄへの電力供給をオフする指示を受けた場合、電源供給端子３０ａからの電力供給をオフすることで、照明器具２０ａ〜２０ｄへの電力供給をオフする。
【００２４】
調光スイッチ４０ａは、照明器具２０ａ〜２０ｐへの調光率の指示を行うためのスイッチであり、例えば、照明システム１が適用される建物の壁に設けられる壁スイッチである。調光スイッチ４０ａは、例えば、図１に示されるように４つのボタン４１ａ〜４１ｄを有している。各ボタンに、例えば照明器具２０ａ〜２０ｄの調光用アドレスが対応付けられることで、調光スイッチ４０ａは、照明器具２０ａ〜２０ｄへの調光率の指示を行うことができる。また、各ボタンは所望の調光率が対応付けられている。各ボタンは例えばオン状態及びオフ状態の２つの状態を有しており、コントローラ１０に対して、オン状態の場合には複数の照明器具を当該所望の調光率に調光制御させる機能を有する。
【００２５】
例えば、ボタン４１ａには調光率０％、ボタン４１ｂには調光率５０％、ボタン４１ｃには調光率８０％、ボタン４１ｄには調光率１００％が対応付けられている。例えば、ボタン４１ａがオン状態になることで、照明器具２０ａ〜２０ｄは、調光率０％に調光制御される。具体的には、ボタン４１ａがオン状態になることで、調光スイッチ４０ａから親機６０へ照明器具２０ａ〜２０ｄの調光率を０％にすることを示す信号が送信される。そして、親機６０は、コントローラ１０へ当該信号を送信し、コントローラ１０は、照明器具２０ａ〜２０ｄの調光率を０％にする調光制御を行う。
【００２６】
設定器５０は、照明器具２０ａ〜２０ｐの制御に関する設定情報を生成し、コントローラ１０、スイッチ３０、調光スイッチ４０ａ等に送信する。
【００２７】
スイッチ３０へ送信される設定情報は、例えば、スイッチ３０が有する電源供給端子３０ａ〜３０ｄとスイッチアドレスとを対応付けるための情報が含まれている。図３は、スイッチ３０の電源供給端子３０ａ〜３０ｄとスイッチアドレスとの対応関係の一例を示す図である。図３に示されるように、スイッチ３０へ送信される設定情報により、電源供給端子３０ａにはスイッチアドレス０ｃｈ−１が対応付けられ、電源供給端子３０ｂにはスイッチアドレス０ｃｈ−２が対応付けられ、電源供給端子３０ｃにはスイッチアドレス０ｃｈ−３が対応付けられ、電源供給端子３０ｄにはスイッチアドレス０ｃｈ−４が対応付けられる。なお、電源供給端子とスイッチアドレスとの対応関係は、スイッチ３０が有する記憶部等に記憶される。
【００２８】
コントローラ１０へ送信される設定情報は、例えば、照明器具２０ａ〜２０ｐと調光用アドレスとを対応付け、また調光用アドレスと電源供給端子のスイッチアドレスとを対応付けるための情報が含まれている。調光用アドレスとは、照明器具２０ａ〜２０ｐを調光制御するためのアドレスであり、コントローラ１０は、指定された調光用アドレスが対応付けられた照明器具に対して調光制御を行う。図４は、照明器具２０ａ〜２０ｐと調光用アドレスとの対応関係及び調光用アドレスとスイッチアドレスとの対応関係の一例を示す図である。
【００２９】
図４に示されるように、コントローラ１０へ送信される設定情報により、照明器具２０ａ〜２０ｄには調光用アドレス１ｃｈ−１が対応付けられ、照明器具２０ｅ〜２０ｈには調光用アドレス１ｃｈ−２が対応付けられ、照明器具２０ｉ〜２０ｌには調光用アドレス１ｃｈ−３が対応付けられ、照明器具２０ｍ〜２０ｐには調光用アドレス１ｃｈ−４が対応付けられる。なお、照明器具２０ａ〜２０ｄは、コントローラ端子１０ａに接続されているため、例えば、コントローラ端子１０ａに調光用アドレス１ｃｈ−１が対応付けられることで、照明器具２０ａ〜２０ｄに調光用アドレス１ｃｈ−１が対応付けられる。同様に、コントローラ端子１０ｂに調光用アドレス１ｃｈ−２が対応付けられることで照明器具２０ｅ〜２０ｈに調光用アドレス１ｃｈ−２が対応付けられ、コントローラ端子１０ｃに調光用アドレス１ｃｈ−３が対応付けられることで照明器具２０ｉ〜２０ｌに調光用アドレス１ｃｈ−３が対応付けられ、コントローラ端子１０ｄに調光用アドレス１ｃｈ−４が対応付けられることで照明器具２０ｍ〜２０ｐに調光用アドレス１ｃｈ−４が対応付けられる。なお、照明器具２０ａ〜２０ｐと調光用アドレスとの対応関係は、コントローラ１０が有する記憶部１４等に記憶される。
【００３０】
また、図４に示されるように、コントローラ１０へ送信される設定情報により、調光用アドレス１ｃｈ−１にはスイッチアドレス０ｃｈ−１が対応付けられ、調光用アドレス１ｃｈ−２にはスイッチアドレス０ｃｈ−２が対応付けられ、調光用アドレス１ｃｈ−３にはスイッチアドレス０ｃｈ−３が対応付けられ、調光用アドレス１ｃｈ−４にはスイッチアドレス０ｃｈ−４が対応付けられる。なお、調光用アドレスとスイッチアドレスとの対応関係は、コントローラ１０が有する記憶部１４等に記憶される。
【００３１】
調光スイッチ４０ａへ送信される設定情報は、例えば、調光スイッチ４０ａのボタンと調光率と調光用アドレスとを対応付けるための情報が含まれている。図５は、調光スイッチ４０ａのボタンと調光率と調光用アドレスとの対応関係の一例を示す図である。
【００３２】
図５に示されるように、調光スイッチ４０ａへ送信される設定情報により、ボタン４１ａには調光率０％と調光用アドレス１ｃｈ−１が対応付けられ、ボタン４１ｂには調光率５０％と調光用アドレス１ｃｈ−１が対応付けられ、ボタン４１ｃには調光率８０％と調光用アドレス１ｃｈ−１が対応付けられ、ボタン４１ｄには調光率１００％と調光用アドレス１ｃｈ−１が対応付けられる。なお、各ボタンと調光率と調光用アドレスとの対応関係は、調光スイッチ４０ａ有する記憶部等に記憶される。また、本実施の形態では、調光用アドレス１ｃｈ−１（つまり、照明器具２０ａ〜２０ｄ）用のスイッチとして、調光スイッチ４０ａを示している。
【００３３】
親機６０は、照明システム１において中心となって動作する親機コントローラである。
【００３４】
ここで、照明器具２０ａ〜２０ｄに対して０以上所定値以下の調光率での調光制御が行われる場合の照明システム１の動作について説明する。
【００３５】
まず、調光スイッチ４０ａのボタン４１ａがオン状態にされる。これにより、調光スイッチ４０ａは、調光用アドレス１ｃｈ−１が対応付けられた照明器具２０ａ〜２０ｄを調光率０％にすることを示す情報を親機６０へ送信する。親機６０は、当該情報をコントローラ１０へ送信する。コントローラ１０は、当該情報に基づいて、調光用アドレス１ｃｈ−１が対応付けられた照明器具２０ａ〜２０ｄを調光率０％にする。具体的には、調光用アドレス１ｃｈ−１が対応付けられたコントローラ端子１０ａに接続された照明器具２０ａ〜２０ｄを調光率０％にする。
【００３６】
次に、コントローラ１０は、調光率０％で調光制御が行われた照明器具２０ａ〜２０ｄへの電力供給をオフするように、スイッチ３０に指示する。具体的には、コントローラ１０は、調光用アドレス１ｃｈ−１に対応付けられたスイッチアドレス０ｃｈ−１が対応付けられた電源供給端子３０ａからの電力供給をオフすることを示す情報を親機６０へ送信する。親機６０は、当該情報をスイッチ３０へ送信する。スイッチ３０は、当該情報に基づいて、スイッチアドレス０ｃｈ−１が対応付けられた電源供給端子３０ａから、電源供給端子３０ａに接続された照明器具２０ａ〜２０ｄへの電力供給をオフする。
【００３７】
次に、電力供給がオフされている照明器具２０ａ〜２０ｄに対して所定値を超える調光率での調光制御が行われる場合の照明システム１の動作について説明する。
【００３８】
まず、調光スイッチ４０ａのボタン４１ｃがオン状態にされる。これにより、調光スイッチ４０ａは、調光用アドレス１ｃｈ−１が対応付けられた照明器具２０ａ〜２０ｄを、所定値を超える調光率である調光率８０％にすることを示す情報を親機６０へ送信する。親機６０は、当該情報をコントローラ１０へ送信する。
【００３９】
コントローラ１０は、当該情報に基づいて、調光用アドレス１ｃｈ−１が対応付けられた照明器具２０ａ〜２０ｄを調光率８０％にしようとするが、照明器具２０ａ〜２０ｄへの電力供給がオフされているため、照明器具２０ａ〜２０ｄへの電力供給をオンするようにスイッチ３０に指示する。具体的には、コントローラ１０は、調光用アドレス１ｃｈ−１に対応付けられたスイッチアドレス０ｃｈ−１が対応付けられた電源供給端子３０ａからの電力供給をオンすることを示す情報を親機６０へ送信する。親機６０は、当該情報をスイッチ３０へ送信する。スイッチ３０は、当該情報に基づいて、スイッチアドレス０ｃｈ−１が対応付けられた電源供給端子３０ａから、電源供給端子３０ａに接続された照明器具２０ａ〜２０ｄへの電力供給をオンする。そして、コントローラ１０は、調光用アドレス１ｃｈ−１が対応付けられた照明器具２０ａ〜２０ｄを調光率８０％にする。
【００４０】
以上、照明システム１の構成について説明したが、照明システム１の構成は図１に示されるものに限らない。
【００４１】
図６及び図７は、実施の形態１に係る照明システム１の他の一例を示す構成図である。
【００４２】
図６に示されるように、照明システム１は、調光スイッチ４０ｂを備えていてもよい。
【００４３】
調光スイッチ４０ｂは、照明器具２０ａ〜２０ｐへの調光率を連続的に変化させる指示を行うためのスイッチであり、例えば、照明システム１が適用される建物の壁に設けられる壁スイッチである。調光スイッチ４０ｂは、例えば、図６に示されるように２つのボタン４２ａ及び４２ｂを有している。各ボタンに、例えば照明器具２０ａ〜２０ｄのアドレスが対応付けられることで、調光スイッチ４０ｂは、照明器具２０ａ〜２０ｄへの調光率の指示を行うことができる。
【００４４】
例えば、ボタン４２ａが押下され続けることで、照明器具２０ａ〜２０ｄは、調光率が上昇するように調光制御される。具体的には、ボタン４２ａが押下され続けることで、調光スイッチ４０ｂから親機６０へ照明器具２０ａ〜２０ｄの調光率を上昇することを示す信号が送信される。そして、親機６０は、コントローラ１０へ当該信号を送信し、コントローラ１０は、照明器具２０ａ〜２０ｄの調光率を上昇する調光制御を行う。また、例えば、ボタン４２ｂが押下され続けることで、照明器具２０ａ〜２０ｄは、調光率が低下するように調光制御される。具体的には、ボタン４２ｂが押下され続けることで、調光スイッチ４０ｂから親機６０へ照明器具２０ａ〜２０ｄの調光率を低下することを示す信号が送信される。そして、親機６０は、コントローラ１０へ当該信号を送信し、コントローラ１０は、照明器具２０ａ〜２０ｄの調光率を低下する調光制御を行う。
【００４５】
例えば、ボタン４２ｂが押下され続けることで、照明器具２０ａ〜２０ｄに対して０以上所定値以下の調光率での調光制御が行われる。また、当該調光制御が行われた後、ボタン４２ａが押下されることで、電力供給がオフされている照明器具２０ａ〜２０ｄに対して所定値を超える調光率での調光制御が行われる。
【００４６】
また、図７に示されるように、コントローラ１０と照明器具とは無線で接続されていてもよい。つまり、調光制御部１２は、照明器具に無線で調光制御の指示を行ってもよい。この場合、コントローラ１０と照明器具とは、ＭＡＣ（Ｍｅｄｉａ  Ａｃｃｅｓｓ  Ｃｏｎｔｒｏｌ）アドレス等を互いに記憶し合う等することで、予めペアリングしているとする。これにより、コントローラ１０にペアリングされている照明器具と調光用アドレスとを対応付けることができる。
【００４７】
［効果等］
以上説明したように、本実施の形態に係る照明システム１は、照明器具２０ａ〜２０ｐと、コントローラ１０と、照明器具２０ａ〜２０ｐへの電力供給のオン及びオフを切り替えるスイッチ３０と、を備える。コントローラ１０は、照明器具２０ａ〜２０ｐの明るさを制御する調光制御を行う調光制御部１２と、０以上所定値以下の調光率での調光制御が行われる照明器具への電力供給をオフするように、スイッチ３０に指示する電力供給制御部１３と、を備える。
【００４８】
これにより、０以上所定値以下の調光率での調光制御が行われた照明器具、つまり、消灯状態又はほぼ消灯状態の照明器具への電力供給をオフすることができる。なお、所定値以下の調光率を０に近い調光率とする。したがって、照明器具は消灯しているがスイッチ３０を介して電力が供給されたままとなることが抑制され、照明器具の待機電力が発生することを抑制でき、消費電力を抑制できる。
【００４９】
また、電力供給制御部１３は、電力供給がオフされている照明器具に、前記所定値を超える調光率での調光制御が行われる場合、照明器具への電力供給をオンするようにスイッチ３０に指示してもよい。
【００５０】
これにより、電力供給がオフされた照明器具を再度点灯させることができる。
【００５１】
また、調光制御部１２は、照明器具２０ａ〜２０ｐに無線で調光制御の指示を行ってもよい。
【００５２】
これにより、例えば、照明システム１がコントローラ１０を複数備える場合、コントローラ１０と照明器具２０ａ〜２０ｐとのペアリングの自由度を高めることができる。
【００５３】
また、本実施の形態に係るコントローラ１０は、照明器具２０ａ〜２０ｐと、コントローラ１０と、照明器具２０ａ〜２０ｐへの電力供給のオン及びオフを切り替えるスイッチ３０とを備える照明システム１におけるコントローラである。コントローラ１０は、照明器具２０ａ〜２０ｐの明るさを制御する調光制御を行う調光制御部１２と、０以上所定値以下の調光率での調光制御が行われる照明器具への電力供給をオフするように、スイッチ３０に指示する電力供給制御部１３と、を備える。
【００５４】
これにより、消費電力を抑制できるコントローラ１０を提供できる。
【００５５】
また、本実施の形態に係る照明システム１は、照明器具２０ａ〜２０ｐと、コントローラ１０と、照明器具２０ａ〜２０ｐへの電力供給のオン及びオフを切り替えるスイッチ３０と、を備える。コントローラ１０は、照明器具２０ａ〜２０ｐの明るさを制御する調光制御を行う調光制御部１２と、消灯となる調光率での調光制御が行われる照明器具への電力供給をオフするように、スイッチ３０に指示する電力供給制御部１３と、を備える。
【００５６】
これにより、消灯状態の照明器具への電力供給をオフすることができる。したがって、照明器具は消灯しているがスイッチ３０を介して電力が供給されたままとなることが抑制され、照明器具の待機電力が発生することを抑制でき、消費電力を抑制できる。
【００５７】
（実施の形態２）
次に、実施の形態２について、図８を用いて説明する。
【００５８】
図８は、実施の形態２に係る照明システム２の一例を示す構成図である。実施の形態２に係る照明システム２の構成は、実施の形態１に係るコントローラ１０とスイッチ３０とが一体化されている点が、実施の形態１に係る照明システム１と異なる。その他の構成は、実施の形態１におけるものと同じであるため説明を省略する。以下、実施の形態１と異なる点を中心に説明する。
【００５９】
コントローラ１００は、実施の形態１に係るコントローラ１０とスイッチ３０とが一体化されたコントローラである。したがって、コントローラ１００は、コントローラ端子１０ａ〜１０ｄ及び電源供給端子３０ａ〜３０ｄの両方を備える。コントローラ１００は、プロセッサ（マイクロプロセッサ）、通信回路、電源回路等に加え、さらに、スイッチ回路（例えばリレー駆動回路）を備える。
【００６０】
ここで、照明器具２０ａ〜２０ｄに対して０以上所定値以下の調光率での調光制御が行われる場合の照明システム２の動作について説明する。
【００６１】
まず、調光スイッチ４０ａのボタン４１ａがオン状態にされる。これにより、調光スイッチ４０ａは、調光用アドレス１ｃｈ−１が対応付けられた照明器具２０ａ〜２０ｄを調光率０％にすることを示す情報を親機６０へ送信する。親機６０は、当該情報をコントローラ１００へ送信する。コントローラ１００は、当該情報に基づいて、調光用アドレス１ｃｈ−１が対応付けられた照明器具２０ａ〜２０ｄを調光率０％にする。具体的には、調光用アドレス１ｃｈ−１が対応付けられたコントローラ端子１０ａに接続された照明器具２０ａ〜２０ｄを調光率０％にする。そして、コントローラ１００は、調光率０％で調光制御が行われた照明器具２０ａ〜２０ｄへの電力供給をオフするように、自身が備えるスイッチ３０に指示し、スイッチアドレス０ｃｈ−１が対応付けられた電源供給端子３０ａから、電源供給端子３０ａに接続された照明器具２０ａ〜２０ｄへの電力供給をオフする。
【００６２】
次に、電力供給がオフされている照明器具２０ａ〜２０ｄに対して所定値を超える調光率での調光制御が行われる場合の照明システム２の動作について説明する。
【００６３】
まず、調光スイッチ４０ａのボタン４１ｃがオン状態にされる。これにより、調光スイッチ４０ａは、調光用アドレス１ｃｈ−１が対応付けられた照明器具２０ａ〜２０ｄを所定値を超える調光率である調光率８０％にすることを示す情報を親機６０へ送信する。親機６０は、当該情報をコントローラ１００へ送信する。
【００６４】
コントローラ１００は、当該情報に基づいて、調光用アドレス１ｃｈ−１が対応付けられた照明器具２０ａ〜２０ｄを調光率８０％にしようとするが、照明器具２０ａ〜２０ｄへの電力供給がオフされているため、照明器具２０ａ〜２０ｄへの電力供給をオンするように自身が備えるスイッチ３０に指示する。具体的には、コントローラ１００は、調光用アドレス１ｃｈ−１に対応付けられたスイッチアドレス０ｃｈ−１が対応付けられた電源供給端子３０ａから、電源供給端子３０ａに接続された照明器具２０ａ〜２０ｄへの電力供給をオンする。そして、コントローラ１００は、調光用アドレス１ｃｈ−１が対応付けられた照明器具２０ａ〜２０ｄを調光率８０％にする。
【００６５】
このように、コントローラ１０とスイッチ３０とは、一体化されていてもよい。
【００６６】
これにより、照明器具２０ａ〜２０ｐの調光制御と電力供給のオンオフとをコントローラ１０とスイッチ３０とが一体化された機器により行うことができるため、照明器具２０ａ〜２０ｐの調光制御と電力供給のオンオフとを容易に連動させることができる。
【００６７】
（その他の実施の形態）
以上、実施の形態１及び２に係る照明システム及びコントローラについて説明したが、本発明は、上記実施の形態に限定されるものではない。
【００６８】
例えば、照明システムは、調光スイッチ４０ａ、調光スイッチ４０ｂ、設定器５０、親機６０等を備えていたが、備えていなくてもよい。
【００６９】
また、例えば、上記実施の形態では、スイッチ３０は、リレー等のメカニカルなスイッチであったが、半導体スイッチ等であってもよい。この場合に、例えば、電源供給端子がない場合には、スイッチアドレスは、半導体スイッチ等ごとに対応付けられてもよい。
【００７０】
また、本発明は、照明システム及びコントローラとして実現できるだけでなく、照明システム及びコントローラを構成する各構成要素が行うステップ（処理）を含む方法として実現できる。
【００７１】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００７２】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００７３】
また、上記実施の形態の照明システム及びコントローラに含まれる各構成要素は、専用または汎用の回路として実現されてもよい。
【００７４】
また、上記実施の形態の照明システム及びコントローラに含まれる各構成要素は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【００７５】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【００７６】
さらに、半導体技術の進歩または派生する別技術によりＬＳＩに置き換わる集積回路化の技術が登場すれば、当然、その技術を用いて、照明システム及びコントローラに含まれる各構成要素の集積回路化が行われてもよい。
【００７７】
その他、実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【符号の説明】
【００７８】
１、２  照明システム
１０、１００  コントローラ
１２  調光制御部
１３  電力供給制御部
２０ａ〜２０ｐ  照明器具
３０  スイッチ
【図１】
2019046640.tif 000003
【図２】
2019046640.tif 000004
【図３】
2019046640.tif 000005
【図４】
2019046640.tif 000006
【図５】
2019046640.tif 000007
【図６】
2019046640.tif 000008
【図７】
2019046640.tif 000009
【図８】
2019046640.tif 000010